Podtech/llm-jp-corpus-v4-ja_patent huggingface dataset:
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
一定の反復動作を行ない得るように可動に構成された受球面と、
前記受球面の反復動作を行なうための駆動力を付与する駆動源と、
を備え、
前記受球面に遊技球を支承させるように案内し、前記受球面の反復動作により前記遊技球を所定の位置から該位置よりも高い別の位置へ搬送する遊技球搬送機構を備えることを特徴とする遊技機。
【請求項２】
前記受球面が直接的または間接的に隣接するように複数配置され、遊技球がこれら複数の受球面に順次支承されるように案内されることを特徴とする請求項１に記載の遊技機。
【請求項３】
前記遊技球を所定の位置から該位置よりも高い別の位置へ搬送する経路が複数配設され、これら複数の経路によりそれぞれ遊技球が搬送され得るようになっていることを特徴とする請求項１または２に記載の遊技機。
【請求項４】
前記複数の経路における受球面が、同一の駆動源により駆動されるようになっていることを特徴とする請求項３に記載の遊技機。
【手続補正書】
【提出日】平成29年7月21日(2017.7.21)
【手続補正１】
【補正対象書類名】明細書
【補正対象項目名】００１９
【補正方法】変更
【補正の内容】
【００１９】
図５は、変形例に係るシリンジ２０６を示す図面であり、（ａ）はカートリッジキャップとフック部により着脱する態様の部品構成を説明する側面図、（ｂ）は（ａ）を組み立てた場合の側面図、（ｃ）はカートリッジキャップとをネジ部により着脱する態様の部品構成を説明する側面図である。
液体材料は樹脂製のバレル２６１に貯留され、バレル先端には取付部を構成する金属製または樹脂製の接合具２１０が接続される。接合具２１０は、小径開口を有する内筒、内筒を囲む外筒およびネジ部を含んでいる。
バレル２６１は金属製のカートリッジ２６３に挿入され、金属製のカートリッジキャップ２０８でふたをして使用される。キャップ２０８の固定具としては、（ａ）に示すようなフック２０９をフック溝２０７に掛けるタイプや、（ｃ）に示すようなキャップネジ部２１７とシリンジネジ部２１９とを締めるタイプがある。この場合、フック２０９またはシリンジネジ部２１９が上部接続部７を構成する。なお、フック２０９は、図示した正面側と背面側の２箇所にある。キャップ２０８には、圧縮気体を供給するための配管が接続されている。
カートリッジ式の貯留容器は、容量が大きい場合（例えば１００ｍＬ以上）に適している。なお、図５では樹脂製のバレルを例示したが、市販の接着剤等で見られるようなラミネートや金属箔のチューブや、市販のコーキング剤等で見られるような可撓性で筒状の袋に入ったシーラントにも、カートリッジ式は適用できる。カートリッジ式の貯留容器でも、吐出装置への着脱時に配管がねじれないという効果を奏することができる。本明細書における「シリンジ」には、カートリッジ式の貯留容器も含まれるものとする。
【手続補正書】
【提出日】平成29年3月16日(2017.3.16)
【手続補正１】
【補正対象書類名】特許請求の範囲
【補正対象項目名】請求項７
【補正方法】変更
【補正の内容】
【請求項７】
前記浸透気化装置は、第１の浸透気化装置と第１の浸透気化装置の濃縮側から排出される液が供給される第２の浸透気化装置とを直列に接続して構成され、
前記第２の浸透気化装置の濃縮側から回収される前記有機溶剤が前記減圧蒸発缶に供給され、
前記第２の浸透気化装置の透過側から排出される液を前記第１の浸透気化装置の前段に循環させる配管をさらに有する、請求項１乃至６のいずれか１項に記載の有機溶剤精製システム。
【手続補正２】
【補正対象書類名】明細書
【補正対象項目名】０００８
【補正方法】変更
【補正の内容】
【０００８】
図６に示した有機溶剤精製システムでは、イオン交換装置１７内のイオン交換樹脂が破過するとシステム内に存在する分離膜やろ過膜に由来するナトリウムやケイ素などの不純物が精製したＮＭＰなどの有機溶剤に残存するおそれがある、という問題点がある。また、浸透気化装置１３の後段にイオン交換装置１７が設けられているが、このイオン交換装置１７は非水溶媒であるＮＭＰからのイオン除去を行わなければならないので、イオン交換効率が小さく、またイオン交換樹脂の交換に大きな手間を要するという問題点もある。
【手続補正３】
【補正対象書類名】明細書
【補正対象項目名】００２０
【補正方法】変更
【補正の内容】
【００２０】
浸透気化装置１３には、例えばゼオライトによって構成された浸透気化膜１４が設けられており、ここで混合液がＮＭＰと水とに分離される。水は浸透気化膜１４を透過するので、浸透気化装置１３の透過側出口から水蒸気の形態で流出する。この水蒸気は、凝縮器１６によって冷却されて凝縮し、透過水タンク３５に貯えられ、排水される。一方、ＮＭＰは浸透気化膜１４を透過しないので、浸透気化装置１３において濃縮側に設けられている出口から排出されて減圧蒸発缶３３に供給される。減圧蒸発缶３３には、真空ラインである配管５０を介し缶内の圧力を下げるための真空ポンプ３６に接続しており、例えばＮＭＰの沸点が１３０℃となるような圧力とするように、減圧蒸発缶３３内の圧力を制御している。また減圧蒸発缶３３には、ＮＭＰを気化させるために必要な量の蒸気が供給されている。減圧蒸発缶３３に接続する真空ポンプ３６は、浸透気化装置１３の透過側での負圧を達成するためにも用いられている。この減圧蒸発缶３３は、イオン性不純物や微粒子などの難揮発性の不純物を除去するために設けられている。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
対価の支払いに応じてゲームに係る処理を実行するゲーム装置を含むゲームシステムであって、
前記ゲームをプレイするユーザの各々について設けられる、前記ゲームに係る設定情報であって、該ユーザに関連付けられたプレイキャラクタ、該ユーザについて関連付けられた前記ゲームにおいて選択可能なキャラクタ、該選択可能なキャラクタの各々について時間経過により変化する経時パラメータ、及び前記ゲームに係り付与された特典の情報を含み、前記ゲーム装置とは異なる通信端末により接続可能なＷｅｂページを介して、ユーザが内容を閲覧可能に構成された設定情報を管理する管理手段と、
前記ゲームをプレイするユーザを特定する第１の特定情報を取得する第１の取得手段と、
前記第１の取得手段により取得された前記第１の特定情報に対応する前記設定情報を前記管理手段から取得する第２の取得手段と、
前記第２の取得手段により取得された前記設定情報に基づき、前記ゲームをプレイするユーザに関連付けられた、プレイヤキャラクタ及び前記ゲームにおいて選択可能なキャラクタを用いた前記ゲームに係る処理を実行する実行手段と、
前記ゲームに係る情報提示を行う提示手段と、を有し、
ユーザが前記Ｗｅｂページを閲覧するタイミング、またはユーザが前記ゲーム装置において前記ゲームをプレイするタイミングで、該ユーザについて設けられた前記設定情報に、前記経時パラメータが予め定められた条件に該当しなくなった前記選択可能なキャラクタが存在する場合に、
前記管理手段は、該キャラクタのユーザへの関連付けを解消するとともに、該キャラクタが前記ゲームにおいて選択可能なキャラクタでなくなることの代償として所定の特典を付与し、
前記提示手段は、前記所定の特典が付与された旨の演出を提示するゲームシステム。
【請求項２】
前記経時パラメータは、前記ゲームのプレイにおいて選択されなかった期間に応じて変化する請求項１に記載のゲームシステム。
【請求項３】
前記予め定められた条件は、前記経時パラメータが所定値以上である請求項２に記載のゲームシステム。
【請求項４】
前記予め定められた条件は、前記ゲームのプレイにおいて選択されなかった期間が所定の期間内である請求項２に記載のゲームシステム。
【請求項５】
前記Ｗｅｂページは、前記ゲームをプレイするユーザ間での交流が可能に構成されたサイトに係るページであり、
前記管理手段は、前記サイトにおいて所定の関係が成立したユーザの各々、または前記ゲーム装置において同時に前記ゲームをプレイしたユーザの各々について設けられた前記設定情報に、前記選択可能なキャラクタ及び前記経時パラメータを登録する請求項１乃至４のいずれか１項に記載のゲームシステム。
【請求項６】
前記ゲームは、登場したキャラクタのうちから選択されたキャラクタと前記プレイヤキャラクタとの対戦を行う第１のゲーム、及び前記選択可能なキャラクタのうちから選択されたキャラクタと前記プレイヤキャラクタとで構成されたチームについてプレイ内容が評価される第２のゲームとを含み、
前記管理手段は、前記第１のゲームの対戦結果が所定の条件を満たした場合に該対戦を行ったキャラクタを、前記第１の特定情報に対応する前記設定情報に、前記選択可能なキャラクタとして登録する請求項１乃至５のいずれか１項に記載のゲームシステム。
【請求項７】
物品を認識する認識部をさらに有し、
前記第１の取得手段は、前記認識部による認識結果に基づき前記第１の特定情報を取得し、
前記管理手段は、前記第１の特定情報を取得した物品が最初に認識された際に、該第１の特定情報に対応する前記設定情報を閲覧可能な前記Ｗｅｂページを生成する請求項１乃至６のいずれか１項に記載のゲームシステム。
【請求項８】
コンピュータを、請求項１乃至７のいずれか１項に記載のゲームシステムの各手段として機能させるプログラム。
【手続補正２】
【補正対象書類名】明細書
【補正対象項目名】発明の名称
【補正方法】変更
【補正の内容】
【発明の名称】ゲームシステム及びプログラム
【手続補正３】
【補正対象書類名】明細書
【補正対象項目名】０００８
【補正方法】変更
【補正の内容】
【０００８】
前述の目的を達成するために、本発明の実施形態に係るゲーム装置は、対価の支払いに応じてゲームに係る処理を実行するゲーム装置を含むゲームシステムであって、ゲームをプレイするユーザの各々について設けられる、ゲームに係る設定情報であって、該ユーザに関連付けられたプレイキャラクタ、該ユーザについて関連付けられたゲームにおいて選択可能なキャラクタ、該選択可能なキャラクタの各々について時間経過により変化する経時パラメータ、及びゲームに係り付与された特典の情報を含み、ゲーム装置とは異なる通信端末により接続可能なＷｅｂページを介して、ユーザが内容を閲覧可能に構成された設定情報を管理する管理手段と、ゲームをプレイするユーザを特定する第１の特定情報を取得する第１の取得手段と、第１の取得手段により取得された第１の特定情報に対応する設定情報を管理手段から取得する第２の取得手段と、第２の取得手段により取得された設定情報に基づき、ゲームをプレイするユーザに関連付けられた、プレイヤキャラクタ及びゲームにおいて選択可能なキャラクタを用いたゲームに係る処理を実行する実行手段と、を有し、ユーザがＷｅｂページを閲覧するタイミング、またはユーザがゲーム装置においてゲームをプレイするタイミングで、該ユーザについて設けられた設定情報に、経時パラメータが予め定められた条件に該当しなくなった選択可能なキャラクタが存在する場合に、管理手段は、該キャラクタのユーザへの関連付けを解消するとともに、該キャラクタがゲームにおいて選択可能なキャラクタでなくなることの代償として所定の特典を付与し、提示手段は、所定の特典が付与された旨の演出を提示する。
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
ワークに向かってレーザ光を照射するとともに金属粉体を噴射するノズルと、
前記ノズルに貫通されるカバーであって、少なくとも前記ノズルの回りで、閉空間を形成するように前記ワークを覆うカバーと、
を備える、レーザ金属肉盛装置。
【請求項２】
前記カバーを貫通し、前記閉空間内に不活性ガスを供給するガス供給管をさらに備える、請求項１に記載のレーザ金属肉盛装置。
【請求項３】
前記カバーは、前記ノズルの回りで前記ワークを覆うドーム状である、請求項１または２に記載のレーザ金属肉盛装置。
【請求項４】
前記カバーは、前記ワークを収容する箱状である、請求項１または２に記載のレーザ金属肉盛装置。
【請求項５】
前記カバーは、前記ワークを取り囲む、スリットが形成されたカバー本体と、前記スリットを塞ぐ、当該スリットに沿って摺動可能な摺動蓋であって、前記ノズルに挿通される挿通穴を有する摺動蓋と、を含む、請求項４に記載のレーザ金属肉盛装置。
【請求項６】
前記レーザ金属肉盛装置は、前記ワークに環状の突起を形成するためのものであり、
前記ワークを回転させる回転台をさらに備え、
前記スリットおよび前記摺動蓋は、前記ワークの回転中心を中心とする環状である、請求項５に記載のレーザ金属肉盛装置。
【請求項７】
前記カバーは、前記ワークの外周側部分の周囲に閉空間を形成する、請求項６に記載のレーザ金属肉盛装置。
【請求項８】
前記ワークは、テーパー状の周壁を有し、この周壁の内周面に前記環状の突起が形成される、請求項６または７に記載のレーザ金属肉盛装置。
【請求項９】
前記ワークは、チタン合金からなる、請求項１〜８のいずれか一項に記載のレーザ金属肉盛装置。
【請求項１０】
前記ノズルは、太さが一定の直線部と、前記直線部の先端から先細りとなるテーパー部を有し、
前記ノズルのテーパー部が前記カバーを貫通する、請求項１〜９の何れか一項に記載のレーザ金属肉盛装置。
【手続補正書】
【提出日】平成29年4月11日(2017.4.11)
【手続補正１】
【補正対象書類名】明細書
【補正対象項目名】０００２
【補正方法】変更
【補正の内容】
【０００２】
図５は、本発明の対象となる転がり軸受ユニットの１種である、車輪支持用転がり軸受ユニットを組み込んだ車輪駆動用軸受ユニットの従来構造の１例として、特許文献１に記載されたものを示している。この図５に示した車輪駆動用軸受ユニットは、車輪支持用転がり軸受ユニット１と、等速ジョイント用外輪２とを組み合わせて成る。このうちの車輪支持用転がり軸受ユニット１は、外輪３と、ハブ４と、複数個の転動体（図示の例では玉）５、５とを備える。
【手続補正２】
【補正対象書類名】明細書
【補正対象項目名】００２０
【補正方法】変更
【補正の内容】
【００２０】
特に本例の場合には、前記かしめ部２０の軸方向他端面に揺動鍛造を施す際に、前記ロール３０の加工面３１のうちで、この加工面３１に形成された各歯のうちの何れかの歯の歯先が、前記かしめ部２０の軸方向他端面と最初に接触する部分の径方向位置に於ける、前記加工面３１に形成された各歯の間隔（前記ロール３０の加工面３１に形成された歯の円周方向に関するピッチ）Ｐｒと、前記かしめ部２０の軸方向他端面のうちで、この軸方向他端面が、前記ロール３０の加工面３１に形成された各歯のうちの何れかの歯の歯先と最初に接触する部分の径方向位置に於ける、前記ハブ側フェイススプライン２１を構成する各歯の間隔（前記かしめ部２０の軸方向他端面に形成すべき前記ハブ側フェイススプライン２１の円周方向に関するピッチ）Ｐｈとを一致させている｛これら両ピッチＰｒ、Ｐｈ同士の差ΔＰ（Ｐｒ−Ｐｈ）を０にしている｝。この為に、具体的には、前記ハブ本体８の中心軸と前記ロール３０の中心軸との交点と、前記かしめ部２０の軸方向他端面との軸方向距離である揺動中心距離をＬと、前記ハブ本体８の中心軸に対する前記ロール３０の中心軸の傾斜角度である揺動角度θとを、次の（１）式の関係を満たす様に規制している。
【数１】
2016030260.tif 000001
この（１）式中、Ｄｈは、前記ハブ本体８の中心軸を中心とし、このハブ本体８の中心軸と、前記かしめ部２０の軸方向他端面のうちで、この軸方向他端面が、前記ロール３０の加工面３１に形成された各歯のうちの何れかの歯の歯先と最初に接触する部分の径方向位置との間の距離を半径とする仮想円の直径（ハブ側フェイススプライン２１のピッチ円直径）を、Ｎｈはこのハブ側フェイススプライン２１の歯数を、Ｎｒは前記ロール３０の加工面に形成された歯の歯数を、それぞれ示している。この様な（１）式の関係を満たす事で、前記両ピッチＰｒ、Ｐｈ同士を互いに一致させられる理由に就いて説明する。
【手続補正３】
【補正対象書類名】明細書
【補正対象項目名】００３０
【補正方法】変更
【補正の内容】
【００３０】
１  車輪支持用転がり軸受ユニット
２  等速ジョイント用外輪
３  外輪
４  ハブ
５  転動体
６  静止側フランジ
７ａ、７ｂ  外輪軌道
８  ハブ本体
９  内輪
１０  回転側フランジ
１１ａ、１１ｂ  内輪軌道
１２  小径段部
１３  中心孔
１４  小径部
１５  ボルト
１６  杆部
１７  雄ねじ部
１８  頭部
１９  円筒部
２０  かしめ部
２１  ハブ側フェイススプライン
２２  マウス部
２３  端壁部
２４  軸部
２５  ねじ孔
２６  ジョイント側フェイススプライン
２７  等速ジョイント用内輪
２８  ボール
２９ａ、２９ｂ  保持器
３０  ロール
３１  加工面
【手続補正４】
【補正対象書類名】特許請求の範囲
【補正対象項目名】請求項２
【補正方法】変更
【補正の内容】
【請求項２】
前記ハブ本体の中心軸と前記ロールの中心軸との交点と、前記かしめ部の軸方向他端面との軸方向距離である揺動中心距離をＬとし、
前記ハブ本体の中心軸に対する前記ロールの中心軸の傾斜角度である揺動角度をθとし、
前記ハブ本体の中心軸を中心とし、このハブ本体の中心軸と、前記かしめ部の軸方向他端面のうちで、この軸方向他端面が、前記ロールの加工面に形成された各歯のうちの何れかの歯の歯先と最初に接触する部分の径方向位置との間の距離を半径とする仮想円の直径をＤｈとし、
このハブ側フェイススプラインの歯数をＮｈとし、
前記ロールの加工面に形成された歯の歯数Ｎｒとした場合に、
Ｎｒ／Ｎｈ＝ｃｏｓθ＋（２Ｌ／Ｄｈ）ｓｉｎθの関係を満たす様に、前記ハブ本体と前記ロールとの位置関係を規制する、請求項１に記載した転がり軸受ユニットの製造方法。
【手続補正書】
【提出日】平成29年6月30日(2017.6.30)
【手続補正１】
【補正対象書類名】明細書
【補正対象項目名】０００６
【補正方法】変更
【補正の内容】
【０００６】
次に、一つの錠前が設けられた、いわゆる２ロックタイプの引戸の構成例を図５に示し、図５に示した引戸が戸先方向へ層間変形した状態（層間変形角：１／１２０ｒａｄ）を図６に示す。
２ロックタイプでは、図５に示すように、引戸部材３の把手９の上下に、上部錠前１０ａ及び下部錠前１０ｂが設けられている。この場合、上部錠前１０ａ及び下部錠前１０ｂのいずれかのストライク１１の位置が、層間変形時に枠部材２に加わる荷重の支点となる。図６に示した構成例では、下部錠前１０ｂのストライク１１の位置を支点としている。この場合、下部錠前１０ｂの下側における、枠部材２の戸先側竪枠５の戸尻側端面と引戸部材３の戸先側端面との距離（引出し距離）は、図３に示した１ロックタイプの場合よりも長くなる。
【手続補正２】
【補正対象書類名】明細書
【補正対象項目名】００２２
【補正方法】変更
【補正の内容】
【００２２】
図７〜図１０に示した配設構造は、前述の図１及び図３に示した１ロックタイプの引戸や図５及び図６に示した２ロックタイプの引戸に用いられるストライク１１のいずれにも適用可能であり、ロック数に制限はなく、ストライク１１と鎌錠１２を少なくとも一対設けた引戸におけるストライク１１に適用可能である。
上述したように、枠部材２の戸先方向への層間変形後における引出し距離（枠部材２の戸先側竪枠５の戸尻側端面と引戸部材３の戸先側端面との距離）は、１ロックタイプでは、層間変形前よりも長くなり、２ロックタイプでは、１ロックタイプよりも長くなる。このため、従来の引戸１では、いずれの場合においても、施錠時における、鎌錠１２の鎌状部材１３の先端部分１３ａの、ストライク１１の内側面１１ｅに対する側圧の増加によって、ストライク１１と鎌錠１２が強固に干渉するため、容易には解錠できない可能性があった。
これに対し、この実施の形態による対震ストライク付引戸１５は、ストライク１１を戸先方向へ移動可能とする配設構造を有しているので、上述の引出し距離に見合った、戸先方向への移動距離をストライク１１に許容することで、上述の側圧の増加を緩和でき、ストライク１１と鎌錠１２との干渉を避けることができ、容易な解錠を期待することができる。
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
３Ｄデータに基づいて造形材料をステージ上に配置することで、造形物を形成する立体造形装置において、
前記ステージ上から前記造形物が剥離される際の剥離動作を補助する剥離補助手段を備えることを特徴とする立体造形装置。
【請求項２】
前記剥離補助手段は、前記造形物の前記ステージとの接触部の温度が目標温度となるように、前記接触部の温度を調整することで、前記剥離動作を補助することを特徴とする請求項１に記載の立体造形装置。
【請求項３】
前記剥離補助手段は、前記接触部の温度が前記目標温度となるように前記ステージを加熱するヒータを備えることを特徴とする請求項２に記載の立体造形装置。
【請求項４】
前記目標温度は、造形材料の種類に応じて予め設定されており、
前記剥離補助手段は、前記接触部を構成する造形材料の種類に応じて前記接触部の温度を調整することが可能であることを特徴とする請求項２又は３に記載の立体造形装置。
【請求項５】
前記剥離補助手段は、流体を、前記ステージと造形物との間に放出することで、前記剥離動作を補助することを特徴とする請求項１乃至４のいずれか１項に記載の立体造形装置。
【請求項６】
前記流体の種類及び／又は使用量が、造形材料の種類に応じて予め設定されており、
前記剥離補助手段は、前記造形物の前記ステージとの接触部を構成する造形材料の種類に応じて、設定された種類及び／又は使用量の前記流体を用いることが可能であることを特徴とする請求項５に記載の立体造形装置。
【請求項７】
前記剥離補助手段は、前記ステージを振動させることで、前記剥離動作を補助することを特徴とする請求項１乃至６のいずれか１項に記載の立体造形装置。
【請求項８】
前記ステージを振動させるときの振動数及び／又は時間が、造形材料の種類に応じて予め設定されており、
前記剥離補助手段は、前記造形物のうち前記ステージとの接触部を構成する造形材料の種類に応じて、設定された前記振動数及び／又は時間で前記ステージを振動させることが可能であることを特徴とする請求項７に記載の立体造形装置。
【請求項９】
造形物が形成される第１位置とは異なる第２位置で、前記ステージ上から造形物が剥離されるように構成され、
前記第１位置から前記第２位置まで前記ステージを移動させる移動手段を有することを特徴とする請求項１乃至８のいずれか１項に記載の立体造形装置。
【請求項１０】
前記３Ｄデータをスライス処理して生成されるシートデータに基づいて造形材料を配置する画像形成ユニットを備えることを特徴とする請求項１乃至９のいずれか１項に記載の立体造形装置。
【請求項１１】
造形材料は、前記画像形成ユニットのユニット本体に着脱可能に設けられたカートリッジに収容されていることを特徴とする請求項１０に記載の立体造形装置。
【請求項１２】
前記剥離補助手段は、前記カートリッジが前記ユニット本体に装着されることで、装着された前記カートリッジに収容されている造形材料の種類に関する情報を取得し、取得した情報から造形材料の種類を識別し、造形材料の種類に応じて前記剥離動作を補助することを特徴とする請求項１１に記載の立体造形装置。
【請求項１３】
前記３Ｄデータに基づく造形材料の配置が終了した後に、前記剥離動作を行うことを特徴とする請求項１乃至１２のいずれか１項に記載の立体造形装置。
【請求項１４】
立体物の造形方法であって、
３Ｄデータに基づいて造形材料をステージ上に配置して造形物を形成する造形工程と、
前記造形工程が終了した後に、前記造形物と前記ステージとの接触部を構成する造形材料の種類に応じて、前記接触部を加熱または冷却して、前記ステージ上から前記造形物が剥離する工程と、
を有することを特徴とする立体物の造形方法。
【請求項１５】
立体物の造形方法であって、
３Ｄデータに基づいて造形材料をステージ上に配置して造形物を形成する造形工程と、
前記造形工程が終了した後に、前記造形物と前記ステージとの接触部を構成する造形材料の種類に応じた種類及び／又は量の流体を、前記ステージと造形物との間に放出して前記ステージ上から前記造形物が剥離する工程と、
を有することを特徴とする立体物の造形方法。
【請求項１６】
立体物の造形方法であって、
３Ｄデータに基づいて造形材料をステージ上に配置して造形物を形成する造形工程と、
前記造形工程が終了した後に、前記造形物と前記ステージとの接触部を構成する造形材料の種類に応じた振動数及び／又は時間で、前記ステージを振動させて前記ステージ上から前記造形物が剥離する工程と、
を有することを特徴とする立体物の造形方法。
【手続補正２】
【補正対象書類名】明細書
【補正対象項目名】０００５
【補正方法】変更
【補正の内容】
【０００５】
上記目的を達成するために本発明にあっては、
３Ｄデータに基づいて造形材料をステージ上に配置することで、造形物を形成する立体造形装置において、
前記ステージ上から前記造形物が剥離される際の剥離動作を補助する剥離補助手段を備えることを特徴とする。
また、立体物の造形方法であって、
３Ｄデータに基づいて造形材料をステージ上に配置して造形物を形成する造形工程と、
前記造形工程が終了した後に、前記造形物と前記ステージとの接触部を構成する造形材料の種類に応じて、前記接触部を加熱または冷却して、前記ステージ上から前記造形物が剥離する工程と、
を有することを特徴とする。
また、立体物の造形方法であって、
３Ｄデータに基づいて造形材料をステージ上に配置して造形物を形成する造形工程と、
前記造形工程が終了した後に、前記造形物と前記ステージとの接触部を構成する造形材料の種類に応じた種類及び／又は量の流体を、前記ステージと造形物との間に放出して前記ステージ上から前記造形物が剥離する工程と、
を有することを特徴とする。
また、立体物の造形方法であって、
３Ｄデータに基づいて造形材料をステージ上に配置して造形物を形成する造形工程と、
前記造形工程が終了した後に、前記造形物と前記ステージとの接触部を構成する造形材料の種類に応じた振動数及び／又は時間で、前記ステージを振動させて前記ステージ上から前記造形物が剥離する工程と、
を有することを特徴とする。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
ロジンと、グリコールエーテル系の溶剤と、有機酸と、チキソ剤を含み、
前記溶剤は、沸点が２００℃以下のグリコール系の低沸点溶剤で、前記低沸点溶剤の含有量を２０重量％以上４０重量％以下とし、前記低沸点溶剤を、溶剤全体のうち、６０重量％以上含有し、
前記有機酸は常温固体で、前記有機酸の含有量を５重量％以上１５重量％以下とし、
はんだ合金を急加熱工法により加熱した際の飛散を防止した
ことを特徴とする急加熱工法用フラックス。
【請求項２】
前記低沸点溶剤は、ジプロピレングリコールモノメチルエーテル、プロピレングリコールモノブチルエーテル、ジエチレングリコールジメチルエーテル、エチレングリコールモノアリルエーテル、エチレングリコールモノイソプロピルエーテルである
ことを特徴とする請求項１に記載の急加熱工法用フラックス。
【請求項３】
はんだ合金と、請求項１または２に記載のフラックスが混合された
ことを特徴とする急加熱工法用ソルダペースト。
【手続補正２】
【補正対象書類名】明細書
【補正対象項目名】００１２
【補正方法】変更
【補正の内容】
【００１２】
本発明は、ロジンと、グリコールエーテル系の溶剤と、有機酸と、チキソ剤を含み、溶剤は、沸点が２００℃以下のグリコール系の低沸点溶剤で、低沸点溶剤の含有量を２０重量％以上４０重量％以下とし、低沸点溶剤を、溶剤全体のうち６０重量％以上含有し、有機酸は常温固体で、有機酸の含有量を５重量％以上１５重量％以下とし、はんだ合金を急加熱工法により加熱した際の飛散を防止した急加熱工法用フラックスである。
【手続補正３】
【補正対象書類名】明細書
【補正対象項目名】００３１
【補正方法】変更
【補正の内容】
【００３１】
【表１】
2016123999.tif 000001
【手続補正書】
【提出日】平成28年12月19日(2016.12.19)
【手続補正１】
【補正対象書類名】明細書
【補正対象項目名】０００５
【補正方法】変更
【補正の内容】
【０００５】
【特許文献１】特開２０１０−０００４３６号公報
【特許文献２】特開平１０−１６５７２３号公報
【特許文献３】特開２００４−１７０１４号公報
【手続補正２】
【補正対象書類名】明細書
【補正対象項目名】００２８
【補正方法】変更
【補正の内容】
【００２８】
その他、供給孔７を供給管５の上面に設けるなど、供給管５内の液位を常にスクリーン２上方以上に保つことで、ドラム３へ供給された被処理液の液位がスクリーン２上方まで上昇する。供給管５には被処理液をドラム３内部へ圧入するための供給装置を設けてもよい。給液管８も供給管５と同様にして凝集剤を添加する。
【手続補正３】
【補正対象書類名】図面
【補正対象項目名】図２
【補正方法】変更
【補正の内容】
【図２】
2016123947.tif 000001
【手続補正４】
【補正対象書類名】図面
【補正対象項目名】図３
【補正方法】変更
【補正の内容】
【図３】
2016123947.tif 000002
【手続補正書】
【提出日】平成28年12月19日(2016.12.19)
【手続補正１】
【補正対象書類名】明細書
【補正対象項目名】０００５
【補正方法】変更
【補正の内容】
【０００５】
【特許文献１】特開２０１０−０００４３６号公報
【特許文献２】特開平１０−１６５７２３号公報
【特許文献３】特開２００４−１７０１４号公報
【手続補正２】
【補正対象書類名】明細書
【補正対象項目名】００１４
【補正方法】変更
【補正の内容】
【００１４】
前記給液管をドラムの終端部から挿入すると共に、前記供給管をドラムの始端部から挿入し、供給管を始端部からリボンスクリューの１ピッチ以上延設することで、安定して液位を供給管より上方まで上昇させることができる。
【手続補正３】
【補正対象書類名】明細書
【補正対象項目名】００２１
【補正方法】変更
【補正の内容】
【００２１】
図１は、本発明に係る脱水処理のフローを示す図である。
図１に示すように、本発明の脱水処理は、排水処理施設等に流入する被処理液（汚泥など）に高分子凝集剤を添加して混和させる凝集混和槽１０１と、この凝集混和槽で生成した凝集汚泥を濃縮処理して分離液と濃縮汚泥を得る濃縮機１０２と、得られた濃縮汚泥を圧搾脱水処理して脱水ケーキと脱水分離液とを得る脱水機１０３と、脱水分離液を濃縮機へ返送する返送管１０４及び返送ポンプ１０５とを備えている。返送ポンプ１０５を設ける代わりに脱水分離液を濃縮機１０２より上方から供給しても良い。また、必要に応じて濃縮機から排出された濃縮汚泥を一時的に貯留する貯留槽１０６と、貯留した濃縮汚泥を脱水機に供給する移送ポンプ１０７を配設する。脱水機１０３はスクリュープレス等の公知の脱水機を利用できる。
【手続補正４】
【補正対象書類名】明細書
【補正対象項目名】００２６
【補正方法】変更
【補正の内容】
【００２６】
脱水分離液をドラム３内へ添加する給液管８は、ドラム３の終端部からリボンスクリュー４の回転軸に沿ってドラム３内へ挿入する。給液管８はドラム３内に給液孔９を設け、給液孔９の下流側で閉止している。脱水分離液の添加位置は適宜設定する。
給液管８の外径はリボンスクリュー４の内径に近似させ、且つ微小な隙間を設けて配設してもよい。また、供給管５と給液管８を連結する構成としてもよい。
【手続補正５】
【補正対象書類名】明細書
【補正対象項目名】００３９
【補正方法】変更
【補正の内容】
【００３９】
被処理液はドラム３の始端側から供給管５に流入し、ドラム３始端側で開口した供給孔７より、ドラム３内へ供給される。そして、返送管１０４をドラム３終端側で供給管５と連結し、供給管５のドラム３始端側に設けた給液孔９から脱水分離液を添加する。
供給管５の供給孔７より下流側では管を閉止し、被処理液の供給位置と脱水分離液の添加位置を別としても良い。
ドラム３内へ供給された被処理液、脱水分離液は、回転駆動機６により回転するドラム３のリボンスクリュー４で搬送され、濃縮された固形物が終端部より排出される。
【手続補正６】
【補正対象書類名】図面
【補正対象項目名】図２
【補正方法】変更
【補正の内容】
【図２】
2016123948.tif 000001
【手続補正７】
【補正対象書類名】図面
【補正対象項目名】図４
【補正方法】変更
【補正の内容】
【図４】
2016123948.tif 000002
【手続補正書】
【提出日】平成29年8月10日(2017.8.10)
【手続補正１】
【補正対象書類名】明細書
【補正対象項目名】００１３
【補正方法】変更
【補正の内容】
【００１３】
そこで、本発明は、上記問題を解決することを目的として、大当りの種類に応じて適した大入賞口閉鎖有効期間を設定することにより、大当りに対する興趣の低下を防止することのできる遊技機を提供することにある。
【手続補正２】
【補正対象書類名】明細書
【補正対象項目名】００１４
【補正方法】変更
【補正の内容】
【００１４】
上記目的を達成するために、本発明は、特別可変入賞装置が所定の態様で開閉する特別遊技が複数種類設けられ、所定の始動条件が成立したときに判定情報を取得し、前記取得した判定情報に基づいて、前記複数種類設けられる前記特別遊技の中から、何れの前記特別遊技を行うか否かを判定する特別遊技判定手段と、前記特別遊技判定手段により前記特別遊技を行うと判定された場合に、前記特別遊技を実行する特別遊技制御手段と、前記特別可変入賞装置が閉鎖してから所定期間が経過するまで、遊技球が進入したことの検知が有効となる閉鎖後検知有効期間を設定する期間設定手段と、を備え、前記期間設定手段は、前記特別遊技の種類に基づいて、異なる前記閉鎖後検知有効期間を設定することが可能である、ことを特徴としている。なお、前記特別可変入賞装置内に設けられるとともに、当該特別可変入賞装置内に入球した遊技球が進入可能な特定領域と、前記特定領域への遊技球の進入を不可能若しくは困難にする第１の態様、および前記第１の態様よりも前記特定領域への遊技球の進入を容易にする第２の態様に変位する進入可変手段と、前記特定領域に遊技球が進入したことを検知する特定領域検知手段と、前記特定領域検知手段が遊技球を検知したことを条件として、特定の遊技価値を付与する特定遊技価値付与手段と、を備え、前記進入可変手段は、前記特別遊技の種類に関わらず、同一の駆動パターンに従って前記第１の態様または前記第２の態様に変位するものであってもよい。
【手続補正３】
【補正対象書類名】明細書
【補正対象項目名】００１５
【補正方法】変更
【補正の内容】
【００１５】
また、上記構成において、前記期間設定手段は、前記特別遊技中に実行されるラウンド遊技に応じて、異なる前記閉鎖後検知有効期間を設定することが可能である、ことを特徴としている。
【手続補正４】
【補正対象書類名】明細書
【補正対象項目名】００１６
【補正方法】変更
【補正の内容】
【００１６】
なお、上記構成において、前記同一の駆動パターンは、前記特別遊技の種類に関わらず、前記閉鎖後検知有効期間が最も早く設定される特別遊技における、当該閉鎖後検知有効期間が経過するまでの駆動態様と、その駆動態様が同じとなる駆動パターンである、構成であってもよい。
【手続補正５】
【補正対象書類名】明細書
【補正対象項目名】００１７
【補正方法】変更
【補正の内容】
【００１７】
なお、上記構成において、前記同一の駆動パターンは、前記特別遊技の種類に関わらず、前記閉鎖後検知有効期間が最も早く設定される特別遊技における、当該閉鎖後検知有効期間が経過した後であって、次に前記特別可変入賞装置が開放するまでの駆動態様と、その駆動態様が同じとなる駆動パターンである、構成であってもよい。
【手続補正６】
【補正対象書類名】明細書
【補正対象項目名】００１８
【補正方法】変更
【補正の内容】
【００１８】
本発明によれば、大当りの種類に応じて適した大入賞口閉鎖有効期間を設定することにより、大当りに対する興趣の低下を防止することのできる遊技機を提供することができる。
【手続補正７】
【補正対象書類名】特許請求の範囲
【補正対象項目名】全文
【補正方法】変更
【補正の内容】
【特許請求の範囲】
【請求項１】
特別可変入賞装置が所定の態様で開閉する特別遊技が複数種類設けられ、所定の始動条件が成立したときに判定情報を取得し、前記取得した判定情報に基づいて、前記複数種類設けられる前記特別遊技の中から、何れの前記特別遊技を行うか否かを判定する特別遊技判定手段と、
前記特別遊技判定手段により前記特別遊技を行うと判定された場合に、前記特別遊技を実行する特別遊技制御手段と、
前記特別可変入賞装置が閉鎖してから所定期間が経過するまで、遊技球が進入したことの検知が有効となる閉鎖後検知有効期間を設定する期間設定手段と、
を備え、
前記期間設定手段は、
前記特別遊技の種類に基づいて、異なる前記閉鎖後検知有効期間を設定することが可能である、ことを特徴とする遊技機。
【請求項２】
前記期間設定手段は、前記特別遊技中に実行されるラウンド遊技に応じて、異なる前記閉鎖後検知有効期間を設定することが可能である、ことを特徴とする請求項１に記載の遊技機。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
遊技者に所定の遊技利益を付与するか否かを決定する大役抽選が実行される遊技機であって、
遊技球が流下する遊技領域が形成された遊技盤と、
前記遊技領域を流下する遊技球が進入可能な始動領域と、
前記始動領域への遊技球の進入を条件として、前記大役抽選で用いる遊技情報を少なくとも含む保留情報を取得して記憶部に記憶する保留記憶手段と、
予め設定された始動条件の成立により、前記記憶部に記憶された保留情報を読み出して前記大役抽選を実行する抽選手段と、
前記大役抽選により前記遊技利益を付与する決定がなされたことを条件として、該遊技利益を付与する遊技利益付与手段と、
前記記憶部に新たに保留情報が記憶され、予め設定された第１の条件が成立すると、複数種類設けられた実行パターンのうちのいずれかの実行パターンで予兆演出を実行する予兆演出実行手段と、
前記予兆演出が実行された後に前記第１の条件と異なる第２の条件が成立すると、複数種類設けられた実行態様のうちのいずれかの実行態様で特定演出を実行する特定演出実行手段と、
を備え、
前記特定演出の複数種類の実行態様は、それぞれ複数種類の前記予兆演出の実行パターンのいずれかに対応付けられており、
前記特定演出実行手段は、
前記第１の条件が成立して実行された前記予兆演出の実行パターンに対応する実行態様で、前記特定演出を実行することを特徴とする遊技機。
【請求項２】
前記予兆演出の実行パターンのいずれかにそれぞれ対応付けられた複数の演出グループが設けられ、前記特定演出の前記複数種類の実行態様は、該演出グループのいずれかに分類され、
前記特定演出実行手段は、
前記第１の条件が成立して実行された前記予兆演出の実行パターンに対応する前記演出グループを抽出するとともに、抽出した該演出グループに分類された実行態様のうちの、いずれかの実行態様で前記特定演出を実行することを特徴とする請求項１に記載の遊技機。
【手続補正２】
【補正対象書類名】明細書
【補正対象項目名】０００７
【補正方法】変更
【補正の内容】
【０００７】
上記課題を解決するために、本発明の遊技機は、遊技者に所定の遊技利益を付与するか否かを決定する大役抽選が実行される遊技機であって、遊技球が流下する遊技領域が形成された遊技盤と、前記遊技領域を流下する遊技球が進入可能な始動領域と、前記始動領域への遊技球の進入を条件として、前記大役抽選で用いる遊技情報を少なくとも含む保留情報を取得して記憶部に記憶する保留記憶手段と、予め設定された始動条件の成立により、前記記憶部に記憶された保留情報を読み出して前記大役抽選を実行する抽選手段と、前記大役抽選により前記遊技利益を付与する決定がなされたことを条件として、該遊技利益を付与する遊技利益付与手段と、前記記憶部に新たに保留情報が記憶され、予め設定された第１の条件が成立すると、複数種類設けられた実行パターンのうちのいずれかの実行パターンで予兆演出を実行する予兆演出実行手段と、前記予兆演出が実行された後に前記第１の条件と異なる第２の条件が成立すると、複数種類設けられた実行態様のうちのいずれかの実行態様で特定演出を実行する特定演出実行手段と、を備え、前記特定演出の複数種類の実行態様は、それぞれ複数種類の前記予兆演出の実行パターンのいずれかに対応付けられており、前記特定演出実行手段は、前記第１の条件が成立して実行された前記予兆演出の実行パターンに対応する実行態様で、前記特定演出を実行することを特徴とする。
【手続補正３】
【補正対象書類名】明細書
【補正対象項目名】０００８
【補正方法】変更
【補正の内容】
【０００８】
また、前記予兆演出の実行パターンのいずれかにそれぞれ対応付けられた複数の演出グループが設けられ、前記特定演出の前記複数種類の実行態様は、該演出グループのいずれかに分類され、前記特定演出実行手段は、前記第１の条件が成立して実行された前記予兆演出の実行パターンに対応する前記演出グループを抽出するとともに、抽出した該演出グループに分類された実行態様のうちの、いずれかの実行態様で前記特定演出を実行するとよい。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
吸収体と、
前記吸収体の肌対向面側に位置する肌面シートと、
前記吸収体の非肌対向面側に位置する防漏シートと、
前記防漏シートの非肌対向面側に位置する外装シートと、
前記防漏シートと厚み方向において重なり、前後方向に伸縮する弾性部材と、を有する吸収性物品であって、
前記防漏シートの前後方向の外側端部は、吸収性物品の前後方向の外側端部よりも前後方向の内側に位置し、
前記弾性部材の有効長の範囲は、前記防漏シートと前記厚み方向において重なっており、
前記弾性部材から前側に延びる前側領域及び前記弾性部材から後側に延びる後側領域において、前記肌面シートと前記外装シートは、接合されている、吸収性物品。
【請求項２】
前記前側領域と前記後側領域の少なくともいずれか一方の前記肌面シート又は前記外装シートには、前記肌面シート又は前記外装シートを前記厚み方向に貫通した開口が形成されている、請求項１に記載の吸収性物品。
【請求項３】
前記防漏シートの前端縁及び前記防漏シートの後端縁のうち少なくとも一方を覆う被覆シートを有する、請求項１に記載の吸収性物品。
【請求項４】
前記防漏シートの前端縁及び前記防漏シートの後端縁のうち少なくとも一方を覆う被覆シートを有する、請求項２に記載の吸収性物品。
【請求項５】
前記被覆シートは、前記開口を覆って配置される、請求項４に記載の吸収性物品。
【請求項６】
前記弾性部材の前後方向の外側端部は、前記防漏シートの前後方向の外側端部よりも前後方向の内側に位置する、請求項１から請求項５のいずれかに記載の吸収性物品。
【手続補正書】
【提出日】平成28年12月9日(2016.12.9)
【手続補正１】
【補正対象書類名】明細書
【補正対象項目名】０００３
【補正方法】変更
【補正の内容】
【０００３】
上記したボタン演出には、ボタンを操作するタイミングを指示するものがある（例えば、特許文献１参照）。
【手続補正２】
【補正対象書類名】明細書
【補正対象項目名】０００５
【補正方法】変更
【補正の内容】
【０００５】
ところで、上記した演出が行われる遊技機では、遊技者に対して操作ボタンに対する操作を通して参加する演出の度に、操作ボタンを押下するよう示唆をする遊技機があるが、長時間遊技を行っている遊技者は、遊技者参加型演出において、定期的に操作ボタンを押下することに対して面倒だと感じ、操作ボタンに対する操作を積極的に行わない場合がある。かといって、操作ボタンを操作しない場合は演出が進行しないとなると、遊技が単調化してしまい、飽きが来やすいという問題が生じ、早々に遊技を終わらせてしまい、遊技機の稼働率も下がってしまうおそれがある。
【手続補正３】
【補正対象書類名】明細書
【補正対象項目名】０００７
【補正方法】変更
【補正の内容】
【０００７】
請求項１に係る遊技機は、
遊技に関する所定の演出画像を表示可能な演出表示装置と、
所定条件の成立に基づいて利益付与に関する抽選を行う抽選手段と、
遊技者による操作が可能な操作手段と、
前記抽選の結果に基づいて、前記演出表示装置による演出の進行を制御する演出制御手段と、
を備える遊技機において、
前記演出制御手段は、
前記抽選の結果に基づいて前記演出表示装置において特定演出を実行する特定演出実行手段を有し、
前記特定演出実行手段は、
遊技者による操作態様に応じて、第１遊技状態または第２遊技状態が選択されうる遊技状態選択手段を有するものであり、
前記第１遊技状態は、前記操作手段に対する所定回数の操作を受け付け可能なものであるとともに、当該操作の受け付けに対応して前記特定演出の演出内容を変化させるものであり、
前記第２遊技状態は、前記操作手段に対する所定の操作の受け付けがあったものとして前記特定演出の演出内容を変化させるものである
ことを特徴とする。
また、別発明として、以下の手段でもよい。
（手段１）遊技者の操作によって遊技媒体が打ち込まれる遊技領域を有した遊技盤と、該遊技盤を前側から脱着可能に支持する本体枠と、扉枠と、を備え、前記遊技盤は、複数の装飾図柄を変動させた後に停止表示すると共に所定の演出画像を表示する演出表示装置を備え、前記扉枠は、前記本体枠の前面に対して開閉可能に支持されると共に閉鎖したときに前記本体枠に支持された前記遊技盤の少なくとも前記遊技領域が遊技者側へ臨む遊技窓を有した扉枠ベースと、前記扉枠ベースの前面且つ前記遊技窓よりも下側に配置され、前方へ膨出すると共に前記遊技領域内へ打込むための遊技媒体を貯留可能な貯留部を有する貯留ユニットと、遊技者が操作可能な位置に遊技者が操作可能な操作部と、を備え、始動条件が成立したことに基づいて抽選を行い、抽選結果について遊技者に利益を付与するか否かの当落判定を行って当落判定結果に基づく制御コマンドを出力する主制御手段と、演出の進行を前記主制御手段からの制御コマンドに基づいて制御する演出制御手段と、を備え、前記演出制御手段は、前記主制御手段から出力された前記当落判定結果に基づく制御コマンドに基づいて、前記演出表示装置の表示領域に表示される画像を変化させる特定演出を行うことか否かを判定する演出選択判定手段と、前記演出選択判定手段が、前記特定演出を行うと判定した場合、前記特定演出を実行する特定演出実行手段と、を備え、前記特定演出は、遊技者が操作部に対する操作を通じて前記特定演出に参加が可能とされた第１のモードと、前記特定演出への参加が不可能とされた第２のモードからなり、前記第１のモードと、前記第２のモードとを遊技者が任意で選択可能であることを特徴とする遊技機。
【手続補正４】
【補正対象書類名】明細書
【補正対象項目名】０００８
【補正方法】変更
【補正の内容】
【０００８】
請求項１に係る遊技機によれば、特定演出において、遊技者が望む内容の演出を楽しむことができる。
【手続補正５】
【補正対象書類名】明細書
【補正対象項目名】０００９
【補正方法】変更
【補正の内容】
【０００９】
また、請求項１に係る遊技機によれば、長時間遊技を続けている遊技者が疲労を感じた場合、第２遊技状態を選択することにより、特定演出の進行において、疲労による遊技に対する興趣の低下を抑止することができる。
【手続補正６】
【補正対象書類名】特許請求の範囲
【補正対象項目名】全文
【補正方法】変更
【補正の内容】
【特許請求の範囲】
【請求項１】
遊技に関する所定の演出画像を表示可能な演出表示装置と、
所定条件の成立に基づいて利益付与に関する抽選を行う抽選手段と、
遊技者による操作が可能な操作手段と、
前記抽選の結果に基づいて、前記演出表示装置による演出の進行を制御する演出制御手段と、
を備える遊技機において、
前記演出制御手段は、
前記抽選の結果に基づいて前記演出表示装置において特定演出を実行する特定演出実行手段を有し、
前記特定演出実行手段は、
遊技者による操作態様に応じて、第１遊技状態または第２遊技状態が選択されうる遊技状態選択手段を有するものであり、
前記第１遊技状態は、前記操作手段に対する所定回数の操作を受け付け可能なものであるとともに、当該操作の受け付けに対応して前記特定演出の演出内容を変化させるものであり、
前記第２遊技状態は、前記操作手段に対する所定の操作の受け付けがあったものとして前記特定演出の演出内容を変化させるものである
ことを特徴とする遊技機。